Podtech/llm-jp-corpus-v4-ja_patent huggingface dataset:
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
無線電力伝達システムであって、
第１面に沿って配置された少なくとも１つの電力送信コイルを有する無線電力伝達送信機と、
第２面に沿って配置された少なくとも１つの電力受信コイルを有する無線電力伝達受信機であって、前記第１面と前記第２面は平行ではない前記無線電力伝達受信機と、
前記少なくとも１つのアダプタ電力受信コイル及び前記少なくとも１つのアダプタ電力送信コイルとの間で伝達される電力を調整及び／又は制御する接続回路を介して電気的に接続される、少なくとも１つのアダプタ電力受信コイル及び少なくとも１つのアダプタ電力送信コイルを含む無線電力伝達アダプタであって、前記少なくとも１つのアダプタ電力受信コイルは、前記少なくとも１つの電力送信コイルと磁気的に結合し、且つ前記少なくとも１つのアダプタ電力送信コイルは、前記少なくとも１つの電力受信コイルと磁気的に結合する、前記無線電力伝達アダプタと、
を備えている、無線電力伝達システム。
【請求項２】
前記無線電力伝達アダプタは、ボディ内に収容された送受信機回路を有し、前記ボディは、前記無線電力伝達送信機のインタフェース面を受け止めるよう形成される、請求項１に記載の無線電力伝達システム。
【請求項３】
前記無線電力伝達アダプタの前記ボディは、さらに、前記無線電力伝達受信機を支持するよう形成される、請求項２に記載の無線電力伝達システム。
【請求項４】
無線電力伝達アダプタであって、
第１面に沿って配置された少なくとも１つの電力受信コイルと、
前記第１面とは平行ではない第２面に沿って配置された少なくとも１つの電力送信コイルと、
前記少なくとも１つの電力受信コイルと、前記少なくとも１つの電力送信コイルを電気的に接続し、前記少なくとも１つのアダプタ電力受信コイル及び前記少なくとも１つのアダプタ電力送信コイルとの間で伝達される電力を調整及び／又は制御するよう構成された接続回路と、
を備えた、無線電力伝達アダプタ。
【請求項５】
ボディを含み、前記ボディ内に収容された送受信機回路を有し、前記ボディは、無線電力伝達送信機のインタフェース面を受け止めるよう形成される、請求項４に記載の無線電力伝達アダプタ。
【請求項６】
前記無線電力伝達アダプタの前記ボディは、さらに、無線電力伝達受信機を支持するよう形成される、請求項５に記載の無線電力伝達アダプタ。
【請求項７】
前記無線電力伝達アダプタの前記ボディは成型加工可能である、請求項６に記載の無線電力伝達アダプタ。
【請求項８】
前記ボディは、前記電力送信コイルに隣接して少なくとも１つの平らな面を含む、請求項５に記載の無線電力伝達アダプタ。
【請求項９】
前記ボディは複数の平らな面を含む、請求項８に記載の無線電力伝達アダプタ。
【請求項１０】
送信/受信コイルの結合が各平らな面に隣接して提供される、請求項９に記載の無線電力伝達アダプタ。
【請求項１１】
前記無線電力伝達アダプタは、前記送信/受信コイルを監視し、前記送信/受信コイルを送信コイル及び受信コイルとして動的に構成する、請求項１０に記載の無線電力伝達アダプタ。
【請求項１２】
前記ボディは４つの平らな面を含む、請求項１１に記載の無線電力伝達アダプタ。
【請求項１３】
前記ボディは、三角形状ベースのピラミッド又は載頭（frusto）三角形状ベースのピラミッドである、請求項１２に記載の無線電力伝達アダプタ。
【請求項１４】
前記ボディは三角形プリズムである、請求項１２に記載の無線電力伝達アダプタ。
【請求項１５】
前記ボディは５つの平らな面を含む、請求項１１に記載の無線電力伝達アダプタ。
【請求項１６】
前記ボディは、方形ベースのピラミッド又は載頭（frusto）方形ベースのピラミッドである、請求項１５に記載の無線電力伝達アダプタ。
【請求項１７】
前記ボディは６つの平らな面を含む、請求項１１に記載の無線電力伝達アダプタ。
【請求項１８】
前記ボディはキューブである、請求項１７に記載の無線電力伝達アダプタ。
【請求項１９】
前記ボディは複数の連結したパネルの形状である、請求項１１に記載の無線電力伝達アダプタ。
【請求項２０】
平らな面から延びる支持脚部を含む、請求項９〜１９の何れか１項に記載の無線電力伝達アダプタ。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
ａ）少なくとも１種のリン酸化合物と、少なくとも１種の亜鉛化合物と、少なくとも２つの酸素含有基を有する少なくとも１種のキレート錯化剤と、少なくとも１種の溶媒とを含む組成物を製造する工程と、
ｂ）異方性リン酸亜鉛粒子又は異方性亜鉛金属混合リン酸塩粒子を生成する工程と、
ｃ）得られた前記粒子を分離する工程と、
を含む、異方性リン酸亜鉛粒子又は異方性亜鉛金属混合リン酸塩粒子の製造方法。
【請求項２】
工程ｂ）を５０℃未満の温度で行うことを特徴とする、請求項１に記載の方法。
【請求項３】
水溶性組成物におけるＺｎ含量がＺｎ２＋基準で０．５質量％を超えることを特徴とする、請求項１又は２に記載の方法。
【請求項４】
プレートレット形状の粒子が得られることを特徴とする、請求項１〜３のいずれか一項に記載の方法。
【請求項５】
斜方晶系結晶構造を有するプレートレット形状の粒子が得られることを特徴とする、請求項１〜４のいずれか一項に記載の方法。
【請求項６】
前記組成物が３．５未満のｐＨを有することを特徴とする、請求項１〜５のいずれか一項に記載の方法。
【請求項７】
前記少なくとも１種のリン酸化合物がリン酸及び／又はリン酸のアルカリ金属塩であることを特徴とする、請求項１〜６のいずれか一項に記載の方法。
【請求項８】
前記少なくとも１種の亜鉛化合物が亜鉛塩であることを特徴とする、請求項１〜７のいずれか一項に記載の方法。
【請求項９】
前記少なくとも１種のキレート錯化剤が６未満のｐＫａ値を有する有機酸であることを特徴とする、請求項１〜８のいずれか一項に記載の方法。
【請求項１０】
前記少なくとも２つの酸素含有基が、カルボン酸基、カルボン酸無水物基、エーテル基、エステル基、ケト基、及び、ヒドロキシル基を含む群から選ばれることを特徴とする、請求項１〜９のいずれか一項に記載の方法。
【請求項１１】
前記少なくとも１種のキレート錯化剤が、α−ヒドロキシカルボン酸、クエン酸、リンゴ酸、酒石酸、アスコルビン酸、マンデル酸、グリオキサル酸、マロン酸、乳酸、酢酸、フマル酸、マレイン酸、グルコン酸、フタル酸、及び、アジピン酸を含む群から選ばれることを特徴とする、請求項１〜１０のいずれか一項に記載の方法。
【請求項１２】
少なくとも１種の亜鉛化合物を含む前記組成物が、少なくとも１種の別の金属化合物を更に含むことを特徴とする、請求項１〜１１のいずれか一項に記載の方法。
【請求項１３】
前記少なくとも１種の別の金属化合物が、マンガン化合物、マグネシウム化合物、カルシウム化合物、ストロンチウム化合物、鉄化合物、セリウム化合物、アルミニウム化合物、ニッケル化合物、又は、コバルト化合物から選ばれることを特徴とする、請求項１２に記載の方法。
【請求項１４】
前記少なくとも１種のキレート錯化剤（ＣＳ）と、前記少なくとも１種の亜鉛化合物及び任意に存在する別の金属化合物とのモル比が、０．１／１〜２．０／１の範囲であることを特徴とする、請求項１〜１３のいずれか一項に記載の方法。
【請求項１５】
Ｚｎイオン基準での前記少なくとも１種の亜鉛化合物の量及び任意に存在する金属化合物の量と、Ｐ基準での前記少なくとも１種のリン酸化合物の混合量とのモル比（Ｚｎ／Ｐ）が、０．８〜１．８の範囲であることを特徴とする、請求項１〜１４のいずれか一項に記載の方法。
【請求項１６】
請求項１〜１２のいずれか一項に記載の方法によって得られるリン酸亜鉛粒子又は亜鉛金属混合リン酸塩粒子。
【請求項１７】
請求項１６に記載の粒子を、腐食防止顔料又は歯科用セメント若しくは歯科用コーティングの添加剤として使用する方法。
【請求項１８】
ポリマーと請求項１６に記載の粒子とを含む複合材。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
方法であって、
Ｌ−酒石酸の存在下で、
アルコールおよび水を有する溶媒系で、
化合物ＩＡおよびＩＢの混合物を分割する工程を有し、
2018507173.tif 000001
前記化合物ＩＡのＬ−酒石酸塩を生成する方法。
【請求項２】
請求項１記載の方法において、前記化合物ＩＡのＬ−酒石酸塩は、少なくとも８５％のジアステレオマー過剰率で生成される方法。
【請求項３】
方法であって、
式ＶＩの化合物またはその塩形態を、水素の存在下で、第１の水素化触媒、リガンド、および選択的に添加物に接触させる工程を有し、
2018507173.tif 000002
式中、Ｒ１はＨ、Ｃｌ、Ｂｒ、またはＩであり、Ｒ２はＮＯ２またはＮＨ２であり、
式Ｖの化合物またはその塩形態を形成する方法。
2018507173.tif 000003
【請求項４】
請求項３記載の方法において、前記第１の水素化触媒は、イリジウム触媒、ロジウム触媒、またはルテニウム触媒である方法。
【請求項５】
請求項４記載の方法において、前記第１の水素化触媒は、ビス（（μ−クロロ）ビス（シクロオクテン）イリジウムである方法。
【請求項６】
請求項３〜５のいずれか１つに記載の方法において、前記リガンドはＭＥＴＡＭＯＲＰｈｏｓである方法。
【請求項７】
請求項３〜６のいずれか１つに記載の方法において、前記方法はトリフルオロエタノール、またはジクロロメタン、またはその混合物において行われる方法。
【請求項８】
請求項３〜７のいずれか１つに記載の方法において、前記式Ｖの化合物のエナンチオマー過剰率は少なくとも５０％である方法。
【請求項９】
請求項３〜８のいずれか１つに記載の方法であって、さらに、化合物ＩＡまたはその塩を生じるのに十分な時間、前記式Ｖの化合物を水素および第２の水素化触媒に接触させる工程を有する方法。
2018507173.tif 000004
【請求項１０】
請求項９記載の方法において、前記第２の水素化触媒はパラジウムである方法。
【請求項１１】
請求項９または１０記載の方法であって、さらに、前記化合物ＩＡから前記化合物ＩＡの塩に変換する工程を有する方法。
【請求項１２】
請求項１１記載の方法において、前記塩は前記化合物ＩＡの酒石酸塩である方法。
【請求項１３】
請求項３〜１２のいずれか１つに記載の方法において、前記式ＩＶの化合物は、前記式ＩＶの化合物またはその塩形態を生成するのに十分な時間および条件下で、式ＩＩの化合物
2018507173.tif 000005
を、式ＩＩＩの化合物またはその塩
2018507173.tif 000006
に接触させる工程を有する方法によって生成される方法。
【請求項１４】
請求項１３記載の方法において、前記式ＩＩの化合物は、式ＩＩＡの化合物またはその塩形態
2018507173.tif 000007
を、酸の存在下で硝酸塩に接触させて、Ｒ２がＮＯ２である式ＩＩの化合物を形成する工程、及び選択的に、ＮＯ２部分を還元して、Ｒ２がＮＨ２である式ＩＩの化合物を形成する工程によって生成される方法。
【請求項１５】
方法であって、
式ＩＸの化合物
2018507173.tif 000008
を、請求項１、２、または９〜１４のいずれか１つによって生成された化合物ＩＡまたはその塩形態に接触させて、
2018507173.tif 000009
ＣＥＰ−３７４４０またはその塩形態である化合物を生成する工程を有する方法。
2018507173.tif 000010
【手続補正２】
【補正対象書類名】明細書
【補正対象項目名】０００３
【補正方法】変更
【補正の内容】
【０００３】
ＣＥＰ−３７４４０で観察された驚くべき、予想外の特性を考慮し、高いエナンチオマー純度でそれを調整する改善された方法が必要である。
この出願の発明に関連する先行技術文献情報としては、以下のものがある（国際出願日以降国際段階で引用された文献を含む）。
（先行技術文献）
（特許文献）
（特許文献１）  国際公開第２０１３／１３４３５３号
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
繊維強化プラスチック部品（１）の製造のためのプロセス装置であって、
反応性熱可塑性マトリックス材料を有し、特に、繊維と反応性熱可塑性マトリックス材料との複合体から成るトリミング残留物（ｍＲ、ｍＡ）の形成を伴う少なくとも１つの連続繊維強化半完成織物繊維製品（１５）を提供するための製造及びアセンブリユニット（Ｉ、ＩＶ）と、
反応性熱可塑性マトリックス材料を有する前記連続繊維強化半完成織物繊維製品（１５）が重合温度より高い温度に加熱されると同時に、必要なプラスチック部品（１）の形状に加圧及び／又は熱成形されるプレスユニット及び／又は熱成形ユニット（Ｖ）と、を有し、
更なる部品（１９）の製造又は部品（１）の機能化のための反応性で未だ重合していない出発材料としてのリサイクレート（Ｒ）の提供のために、繊維と反応性熱可塑性マトリックス材料との複合体から成るトリミング残留物（ｍＲ、ｍＡ）が供給され得るリサイクルユニット（ＶＩＩ）を有するプロセス装置。
【請求項２】
熱の導入の結果としてリサイクレート（Ｒ）の重合と共に部品（１９）が製造される成形ユニット（ＶＩＩＩ）を有する請求項１に記載のプロセス装置。
【請求項３】
成形ユニット（ＶＩＩＩ）は、リサイクレート（Ｒ）がその溶融温度より高くその反応温度より低い温度で溶融され得る押出機又は計量設備（２１）を有し、溶融されたリサイクレート（Ｒ）は、押出機又は計量設備（２１）により反応温度を超える温度に加熱された成形金型（２５）に導入され得る請求項２に記載のプロセス装置。
【請求項４】
リサイクレート（Ｒ）は、その溶融温度を超える温度に事前に加熱されることなく、成形ユニット（ＶＩＩＩ）の成形金型（２５）のモールドキャビティ（２３）に固体凝集状態で導入され得、そして成形金型（２５）のモールドキャビティ（２３）が閉鎖している時にのみ、リサイクレート（Ｒ）が溶融し、モールドキャビティ（２３）内に割り当てられ、そしてそこで重合する請求項２に記載のプロセス装置。
【請求項５】
リサイクリングユニット（ＶＩＩ）は、供給されたトリミング残留物（ｍＲ、ｍＡ）が特定の繊維長に粉砕され得る切削ミル等の粉砕アセンブリを有する請求項１から４の何れか１項に記載のプロセス装置。
【請求項６】
反応性マトリックス材料（ｍmatrix）及び／又は任意に増粘剤等の添加剤が、リサイクルユニット（ＶＩＩ）を通過したトリミング残留物（ｍＡ、ｍＲ）に添加され得る請求項３に記載のプロセス装置。
【請求項７】
織物構造体（７）から成る少なくとも１つの連続ウェブは、連続プロセスで製造ユニット（Ｉ）内で反応性熱可塑性マトリックス材料の液体出発成分（８）に予備含浸され得、製造ユニット内には切断ユニット（ＩＩ）があり、含浸後、エッジトリミングが行われ、そこでは、結果としての予備含浸された連続構造体（７）がサイズに切断されて反応性熱可塑性マトリックス材料を有する連続繊維強化半完成織物繊維製品（１５）が、具体的には繊維と反応性熱可塑性マトリックス材料との複合体から成るエッジトリミング残留物（ｍＲ）の形成を伴って生成される請求項１に記載のプロセス装置。
【請求項８】
アセンブリユニット（ＩＶ）において、連続繊維強化半完成織物繊維製品（１５）は、レイアップ手順で互いに層状に重ね合わされて層パッケージ（１６）を生成し、又はアセンブリトリミングが行われ、その中で前記半完成繊維製品（１５）が、具体的には繊維と反応性熱可塑性マトリックス材料との複合体から成るアセンブルトリミング残留物（ｍＡ）の形成を伴って、繊維強化プラスチック部品（１）の最終形状に従ってサイズ調整され得る請求項１に記載のプロセス装置。
【請求項９】
反応性熱可塑性マトリックス材料を有する少なくとも1つの連続繊維強化半完成織物繊維製品（１５）から製造される繊維強化プラスチック部品（１）の製造方法であって、前記半完成繊維製品（１５）の製造中に繊維と反応性熱可塑性マトリックス材料との複合体から成るトリミング残留物（ｍＲ、ｍＡ）が生じ、前記半完成繊維製品（１５）の製造中に得られるトリミング残留物（ｍＲ、ｍＡ）は、更なる部品（１９）の製造又は部品（１）の機能化のための反応性で未だ重合されていない出発材料としてのリサイクレート（Ｒ）の提供のためにリサイクルユニット（ＶＩＩ）に供給される製造方法。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
繊維強化プラスチック部品（１）の製造のためのプロセス装置であって、
反応性熱可塑性マトリックス材料を有し、特に、繊維と反応性熱可塑性マトリックス材料の複合体から成るトリミング残留物（ｍＲ、ｍＡ）の形成を伴う少なくとも１つの連続繊維強化半完成織物繊維製品（１５）を提供するための製造及びアセンブリユニット（Ｉ、ＩＶ）と、
反応性熱可塑性マトリックス材料を有する前記連続繊維強化半完成繊維製品（１５）が重合温度より高い温度に加熱されると同時に、必要なプラスチック部品（１）の形状に加圧及び／又は熱成形されるプレスユニット及び／又熱成形ユニット（Ｖ）と、
プラスチック部品（１）の最終的なトリミングが行われ、特に繊維と重合したマトリックス材料との複合体から成る最終的なトリミング残留物（ｍＥ）の形成を伴う仕上げユニット（ＶＩ）と、及び、
繊維と重合したマトリックス材料との複合体から成る最終トリミング残留物（ｍＥ）が更に処理されて、射出成形又はプレスプロセスで使用するためのリサイクレート（Ｒ）を生成するリサイクルユニット（ＶＩＩ）を有し、
リサイクルユニット（ＶＩＩ）に関連して、繊維と反応性熱可塑性マトリックス材料との複合体から成る前記トリミング残留物（ｍＲ、ｍＡ）が搬送され得る予備ユニット（ＶＩＩＩ）があり、反応性熱可塑性マトリックス材料は予備ユニット（ＶＩＩＩ）で重合され得、そして、得られた繊維と重合したマトリックス材料との複合体をリサイクルユニット（ＶＩＩ）に搬送され得るプロセス装置。
【請求項２】
織物構造体（７）で作製された少なくとも１つの連続ウェブが、連続プロセスの製造ユニット（Ｉ）で、反応性熱可塑性マトリックス材料の液体出発成分（８）で予備含浸され得、そして切断ユニット（ＩＩ）が備えられ、その中では含浸後に得られた含浸された連続構造体（７）をサイズ切断調整して反応性熱可塑性マトリックス材料を有する連続繊維強化半完成織物繊維製品（１５）を、及び具体的には、繊維と反応性熱可塑性マトリックス材料との複合体から成るエッジトリミング残留物（ｍＲ）の形成を伴って、生成することができるエッジトリミングが行われる、請求項１に記載のプロセス装置。
【請求項３】
アセンブリユニット（ＩＶ）において、連続繊維強化半完成織物繊維製品（１５）は、層状に相互に重ね合わされて、レイアップ手順で層パッケージ（１６）を生成し得、及び／又はアセンブリトリミングが行われ、その中で、前記半完成繊維製品（１５）は、及び具体的には繊維と反応性熱可塑性マトリックス材料との複合体から成るアセンブリトリミング残留物（ｍＡ）の形成を伴って、繊維強化プラスチック部品（１）の最終形状に合わせてサイズトリミングされ得る、請求項１に記載のプロセス装置。
【請求項４】
連続繊維強化半完成織物繊維製品（１５）は、プレス手順及び／又は熱成形手順に必要とされるとともに、仕上げユニット（ＶＩ）で、及び具体的には最終トリミング残留物の形成を伴って、プラスチック部品（１）から除去され得る突出リムを形成する外装部品エッジ（１７）を有する、請求項１に記載のプロセス装置。
【請求項５】
仕上げユニット（ＶＩ）におけるプラスチック部品（１）に、具体的には最終トリミング残留物（ｍＥ）の形成と共に、ミシン目、切欠き等を組み込むことができる請求項１記載のプロセス装置。
【請求項６】
最終トリミング残留物（ｍＥ）及びアセンブリトリミング残留物（ｍＡ）中の繊維含量は同一であり、エッジトリミング残留物（ｍＲ）中の繊維含量は最終トリミング又はアセンブリトリミング残留物（ｍＥ、ｍＡ）中の繊維含量より低く、及び、重合したマトリックス材料（ｍmatrix）は、リサイクレート（Ｒ）の必要繊維含量に従いリサイクルユニット（ＶＩＩ）に渡されるトリミング残留物に加えられ得る請求項３に記載のプロセス装置。
【請求項７】
予備ユニット（ＶＩＩＩ）及び／又はリサイクルユニット（ＶＩＩ）は、リサイクレート（Ｒ）を生成するために組み合わされ得るトリミング残留物を粉砕し得る粉砕ユニット、特に造粒機を有し、エッジトリミング残留物（ｍＲ）及びアセンブリトリミング残留物（ｍＡ）は好ましくは造粒機で処理される前に重合され得る請求項１〜６の何れか１項に記載のプロセス装置。
【請求項８】
最終トリミング残留物（ｍＥ）は、アセンブリトリミング残留物（ｍＡ）及び／又はエッジトリミング残留物（ｍＲ）と様々な質量比で、それぞれの場合、造粒機の上流又は下流で混合され得、次いで、リサイクルユニット（ＶＩＩ）に搬送され得る請求項７に記載のプロセス装置。
【請求項９】
反応性熱可塑性マトリックス材料を有する少なくとも1つの連続繊維強化半完成織物繊維製品（１５）から製造される繊維強化プラスチック部品（１）の製造方法であって、前記半完成織物繊維製品（１５）の製造中に繊維と反応性熱可塑性マトリックス材料との複合体から成るトリミング残留物（ｍＲ、ｍＡ）が生じ、最終プラスチック部品（１）の仕上げ中に繊維と重合した熱可塑性マトリックス材料との複合体から成る最終トリミング残留物（ｍＥ）が生じ、及びさらにリサイクルユニット（ＶＩＩ）で処理されてリサイクレート（Ｒ）を生成し、
ここで、前記半完成繊維製品（１５）の製造中に生じるトリミング残留物（ｍＲ、ｍＡ）は、予備ユニット（ＶＩＩＩ）で重合され、次いでリサイクルユニット（ＶＩＩ）に搬送される製造方法。
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
木材（６）を熱処理する方法であって、
前記木材（６）を気密タンク（４）内に設置する設置ステップと、
前記気密タンク（４）を既定の圧力（Ｐ１）まで加圧して、前記木材（６）の加圧環境を確立する加圧ステップと、
誘電加熱により既定の温度（Ｔ２、Ｔ３）まで前記木材（６）を加熱する加熱ステップと、を含み、
加熱中の前記既定の圧力（Ｐ１）は、前記木材（６）中の水が前記既定の温度（Ｔ２、Ｔ３）で蒸発することを妨げることを特徴とする、方法。
【請求項２】
前記誘電加熱は電磁放射であることを特徴とする、請求項１に記載の方法。
【請求項３】
前記電磁放射の周波数は１ＭＨｚ〜４０ＭＨｚであることを特徴とする、請求項２に記載の方法。
【請求項４】
前記誘電加熱は、１つ以上の電極（８、８’、８”、１０、１０’）による電磁放射である、請求項１〜３のいずれか一項に記載の方法。
【請求項５】
前記加熱ステップは、数分間〜数時間の範囲内の期間、例えば１５分間〜１０時間、１時間〜５時間等の期間にわたり行う、請求項１〜４のいずれか一項に記載の方法。
【請求項６】
前記加圧ステップと前記加熱ステップとは同時に行われる、又は
前記加圧ステップは前記加熱ステップの前に行われる、
ことを特徴とする、請求項１〜５のいずれか一項に記載の方法。
【請求項７】
前記既定の温度（Ｔ２、Ｔ３）は、常圧における水の沸点より高く、好ましくは１４０℃より高く、好ましくは１５０℃より高く、例えば１７０℃〜２１５℃等である、ことを特徴とする、請求項１〜６のいずれか一項に記載の方法。
【請求項８】
前記既定の圧力（Ｐ１）は、５バールより高く、例えば５〜２７バール等である、ことを特徴とする、請求項１〜７のいずれか一項に記載の方法。
【請求項９】
前記木材（６）を冷却する冷却ステップと、前記木材（６）を乾燥させる乾燥ステップと、のうち一方又は双方をさらに含むことを特徴とする、請求項１〜８のいずれか一項に記載の方法。
【請求項１０】
前記冷却ステップにおける冷却は、前記気密タンク（４）に冷却媒体を供給することによって行われることを特徴とする、請求項９に記載の方法。
【請求項１１】
前記冷却媒体は水含有液であることを特徴とする、請求項１０に記載の方法。
【請求項１２】
前記冷却ステップ中の圧力は、温度を考慮して好適に制御し適合させることができることを特徴とする、請求項９〜１１のいずれか一項に記載の方法。
【請求項１３】
前記乾燥ステップ中において、温度に応じて前記圧力を降下させることを特徴とする、請求項９〜１１のいずれか一項に記載の方法。
【請求項１４】
前記乾燥ステップにおける乾燥は、前記気密タンク（４）内の温度を減少させながら、前記気密タンク（４）内の圧力を降下させることにより行われる、請求項９〜１３のいずれか一項に記載の方法。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
マリンホースまたは同種のもの用のブイ装置であって、ブイ装置は、少なくとも部分的に前記ホースを囲むように構成され、ブイ装置は、シェルユニットおよびブラダーユニットを備え、ブラダーユニットは、シェルユニット内に配置され、使用中にブイ装置の浮力を調整するために流体によって膨張可能および／または収縮可能であり、ブラダーユニットは、第１ブラダー要素および第２ブラダー要素を備え、第１ブラダー要素は、第１シェル要素内に配置され、第２ブラダー要素は、第２シェル要素内に配置される、ブイ装置。
【請求項２】
請求項１に記載のブイ装置であって、シェルユニットは、複数の開口を備え、それを通って水が、ブラダーユニットの膨張および収縮の間に流れることができる、ブイ装置。
【請求項３】
請求項１または２に記載のブイ装置であって、シェルユニットは、第１シェル要素および第２シェル要素を備え、それらは、組立状態で互いに接続される、ブイ装置。
【請求項４】
請求項３に記載のブイ装置であって、第１および第２シェル要素は、略半円形である、ブイ装置。
【請求項５】
請求項３または４に記載のブイ装置であって、第１シェル要素の第１端部は、第２シェル要素の第１端部にヒンジ連結され、組立状態で、第１シェル要素の第２端部は、接続手段によって、第２シェル要素の第２端部に接続される、ブイ装置。
【請求項６】
請求項１〜５のいずれか１項に記載のブイ装置であって、少なくとも１つの圧力リリーフバルブをさらに備え、それは、ブラダーユニットに接続され、前記ブラダーユニットの過圧を防ぐように構成される、ブイ装置。
【請求項７】
請求項１〜６のいずれか１項に記載のブイ装置であって、少なくとも１つの膨張ソケットをさらに備え、それは、ブラダーユニットに接続され、空気供給源に接続されるように構成され、前記膨張ソケットは、前記ブラダーユニットを膨張および／または収縮させるように構成され、前記膨張ソケットは、制御ユニットに接続され、制御ユニットは、使用中にブイ装置の浮力を調整するために、ブラダーユニットに膨張する流体の流量を制御するように構成される、ブイ装置。
【請求項８】
請求項１〜７のいずれか１項に記載のブイ装置であって、ブラダーユニットは、ゴム材料で作られている、ブイ装置。
【請求項９】
請求項１〜８のいずれか１項に記載のブイ装置のシステムであって、ブイ装置は、マリンホースに取り付けられているときに、互いに離間して配置されるように構成される、または、１つのブイ装置が、マリンホースに取り付けられているときに、少なくとも１つの他のブイ装置に隣接して配置されるように構成される、システム。
【請求項１０】
請求項９に記載のシステムであって、それぞれのブイ装置は、それぞれのブイ装置の浮力が個々に調整されるように、制御ユニットによって個々に制御される、システム。
【請求項１１】
請求項１〜８のいずれか１項に記載される複数のブイ装置を備えるマリンホース。
【請求項１２】
請求項１〜８のいずれか１項に記載のブイ装置の浮力を調整する方法であって、前記方法は、
‐ブイ装置の所望の浮力を提供するように、ブラダーユニットを膨張または収縮させるステップであって、ブイ装置の制御ユニットが、ブラダーユニットの流体の量を制御する、ステップと、
‐水が、ブイ装置のシェルユニットの少なくとも１つの開口を、流れることができるようにするステップと、
を含む方法。
【請求項１３】
請求項１〜８のいずれか１項に記載の少なくとも１つのブイ装置によって少なくとも部分的に囲まれるマリンホースの浮力を、前記少なくとも１つのブイ装置の１つ以上を膨張または収縮させることによって、制御する方法。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
１０ｐｐｍ未満の１４−ヒドロキシモルフィノンを有するオキシモルホン塩酸塩組成物を調製するための方法であって、
（ｉ）１０ｐｐｍ超の１４−ヒドロキシモルフィノンを有するオキシモルホン塩基組成物を１−プロパノール、水及び酸を含む混合物中で水素化する工程；
（ｉｉ）工程（ｉ）中の１−プロパノール及び水の一部を除去し、混合物の含水量を減少させる工程；並びに
（ｉｉｉ）混合物にアルコールを添加する工程
を含む、方法。
【請求項２】
水素化工程がガス状の水素の使用を含む、請求項１に記載の方法。
【請求項３】
酸が塩酸である、請求項１に記載の方法。
【請求項４】
塩酸が濃塩酸である、請求項３に記載の方法。
【請求項５】
塩酸が希塩酸である、請求項３に記載の方法。
【請求項６】
酸がアルコール中の塩化水素の溶液である、請求項１に記載の方法。
【請求項７】
工程（ｉ）中の１−プロパノール及び水の一部が蒸留により除去される、請求項１に記載の方法。
【請求項８】
蒸留が減圧下でなされる、請求項７に記載の方法。
【請求項９】
高められた温度で起こる、請求項１に記載の方法。
【請求項１０】
還流しながら行われる、請求項７に記載の方法。
【請求項１１】
高められた温度が約４５℃から６５℃である、請求項９に記載の方法。
【請求項１２】
カール・フィッシャー滴定法による含水量が約１０％未満に減少される、請求項１に記載の方法。
【請求項１３】
オキシモルホン塩酸塩がＩ型であり、ＨＰＬＣによる純度が少なくとも９９．９％である、請求項１に記載の方法。
【請求項１４】
オキシモルホン塩酸塩がＩＩ型であり、ＨＰＬＣによる純度が少なくとも９９．９％である、請求項１に記載の方法。
【請求項１５】
少なくとも一の薬学的に許容される賦形剤及び請求項１に記載のオキシモルホン塩酸塩を含む薬学的製剤。
【請求項１６】
異物混入防止又は乱用防止投与形態である、請求項１５に記載の薬学的製剤。
【請求項１７】
徐放性又は持続放出投与形態である、請求項１５に記載の薬学的製剤。
【請求項１８】
請求項１５に記載の薬学的製剤を、それを必要とする患者に投与することを含む、痛みを治療する方法。
【請求項１９】
１０ｐｐｍ未満の１４−ヒドロキシモルフィノンを有するオキシモルホン塩酸塩組成物を調製するための方法であって、
（ｉ）１０ｐｐｍ超の１４−ヒドロキシモルフィノンを有するオキシモルホン塩基組成物をアルコール、水及び酸を含む混合物中で水素化する工程；
（ｉｉ）工程（ｉ）中の１−プロパノールアルコール及び水の一部を除去し、混合物の含水量を減少させる工程；並びに
（ｉｉｉ）混合物に１−プロパノールを添加する工程
を含む、方法。
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
組み換え体ＩＬ−１２および組み換え体ＧＭ−ＣＳＦから本質的になり、前記組み換え体ＩＬ−１２および組み換え体ＧＭ−ＣＳＦを、生殖能力のある雄の精液中に見られるＩＬ−１２およびＧＭ−ＣＳＦに相当する生理学的濃度範囲内で膣内でインサイチュで放出するように構成されている、胚の移植前または授精前に雌において妊娠率の改善に使用するための組成物。
【請求項２】
組み換え体ＩＬ−１２がＩＬ−１２ｐ４０またはＩＬ−１２ｐ７０のいずれかである、請求項１に記載の組成物。
【請求項３】
組み換え体ＴＧＦβ、組み換え体エオタキシン、および組み換え体ＲＡＮＴＥＳのうちの任意の１、２、または３種をさらに含み、前記組み換え体ＴＧＦβ、組み換え体エオタキシン、および組み換え体ＲＡＮＴＥＳのうちの任意の１、２、または３種を、生殖能力のある雄の精液中に見られるＴＧＦβ、エオタキシン、およびＲＡＮＴＥＳに相当する生理学的濃度範囲内で膣内でインサイチュで放出する、請求項１または２のいずれかに記載の組成物。
【請求項４】
組み換え体ＩＬ−１２および組み換え体ＧＭ−ＣＳＦから本質的になり、膣挿入物であり、前記組み換え体ＩＬ−１２および組み換え体ＧＭ−ＣＳＦを、生殖能力のある雄の精液中に見られるＩＬ−１２およびＧＭ−ＣＳＦに相当する生理学的濃度範囲内で膣内でインサイチュで放出するように構成されている、胚の移植前または授精前に雌において妊娠率の改善に使用するための医薬組成物。
【請求項５】
組み換え体ＩＬ−１２および組み換え体ＧＭ−ＣＳＦが、生殖能力のある雄の精液中に見られるそれらの近似の生理学的範囲内またはその範囲以上でのいずれかでインサイチュで放出されるように構成されている、請求項４に記載の医薬組成物。
【請求項６】
組み換え体ＴＧＦβ、組み換え体エオタキシン、および組み換え体ＲＡＮＴＥＳのうちの任意の１、２、または３種をさらに含み、前記組み換え体ＴＧＦβ、組み換え体エオタキシン、および組み換え体ＲＡＮＴＥＳのうちの任意の１、２、または３種を、生殖能力のある雄の精液中に見られるＴＧＦβ、エオタキシン、およびＲＡＮＴＥＳに相当する生理学的濃度範囲内で膣内でインサイチュで放出する、請求項４または５のいずれかに記載の医薬組成物
【請求項７】
膣挿入物が、膣用カプセル、膣用ゲル、膣用錠、膣用粉末、膣用溶液、膣用ペッサリー、膣用カップ、膣用スポンジ、膣用エアロゾル、または膣用フォームもしくはスプレーである、請求項４から６のいずれかに記載の医薬組成物。
【請求項８】
医薬組成物が、迅速送達、制御送達、連続送達、またはパルス送達製剤である、請求項７に記載の医薬組成物。
【請求項９】
妊娠率の改善に使用するための、請求項１から３のいずれかに記載の組成物を含む経粘膜膣送達用のペッサリー。
【請求項１０】
げっ歯類における子宮の受容性を助長させるための、請求項９に記載のペッサリー。
【請求項１１】
げっ歯類がマウスまたはラットである、請求項１０に記載のペッサリー。
【請求項１２】
請求項１から３のいずれかに記載の組成物、請求項４から８のいずれかに記載の医薬組成物、または請求項９から１１のいずれかに記載のペッサリーを含む膣送達ビヒクルと、キットに含まれるときに前記膣送達ビヒクルをレシピエントの雌の膣に挿入するための装置とを含む、キット。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
モルパーセント単位で、以下の酸化物：
Ｖ２Ｏ５      ４０〜５５
Ｐ２Ｏ５ ５〜２０
Ｆｅ２Ｏ３    １０〜２０
Ｂ２Ｏ３      ０〜１０
ＺｎＯ      ０〜１０
ＴｉＯ２     ０〜１０
ＴｅＯ２ ５〜２０
Ｂｉ２Ｏ３ ０〜１５
を含み、かつ
ガラス転移温度Ｔｇが３３０℃以下であることを特徴とする、アンチモンを含まないガラス。
【請求項２】
Ｐ２Ｏ５＋ＴｅＯ２が、２０モル％〜４０モル％の範囲内にあることを特徴とする、請求項１に記載のガラス。
【請求項３】
Ｆｅ２Ｏ３及びＢｉ２Ｏ３の合計が、１５モル％〜３０モル％の範囲内にあることを特徴とする、請求項１に記載のガラス。
【請求項４】
酸化物に基づいて、モル％単位で、以下：
Ｖ２Ｏ５      ４５〜５５、
Ｐ２Ｏ５      １２．５〜１５、
Ｆｅ２Ｏ３    １０〜１５、
Ｂ２Ｏ３      ０〜５、
ＺｎＯ      ０〜５、
ＴｉＯ２     ０〜５、
ＴｅＯ２     １０〜１５、
Ｂｉ２Ｏ３    ０〜１５
を含み、かつ
前記ガラスのガラス転移温度Ｔｇが、３１０℃以下である、
請求項１に記載のガラス。
【請求項５】
Ｐ２Ｏ５及びＴｅＯ２のモル％単位での合計が、２５モル％〜３５モル％の範囲内にあることを特徴とする、請求項４に記載のガラス。
【請求項６】
Ｆｅ２Ｏ３及びＢｉ２Ｏ３のモル％単位での合計が、１５モル％〜２５モル％の範囲内にあることを特徴とする、請求項４に記載のガラス。
【請求項７】
Ｖ２Ｏ５＋Ｐ２Ｏ５＋Ｂ２Ｏ３のモル％単位での合計をＦｅ２Ｏ３＋Ｂｉ２Ｏ３のモル％単位での合計で割った商が、４．３３以下であることを特徴とする、請求項４に記載のガラス。
【請求項８】
モルパーセント単位で、以下の酸化物：
Ｖ２Ｏ５      ４０〜５５、
Ｐ２Ｏ５      ５〜２０、
Ｆｅ２Ｏ３    １０〜２０、
Ｂ２Ｏ３      ０〜１０、
ＺｎＯ      ０〜１０、
ＴｉＯ２     ０〜１０、
ＴｅＯ２     ５〜２０、
Ｂｉ２Ｏ３    ０〜１５
を含み、かつ
ＴｅＯ２をＰ２Ｏ５で割った商が０．６〜１．６の範囲内にあり、Ｂｉ２Ｏ３をＦｅ２Ｏ３で割った商が０．３〜１．５の範囲内にある、
アンチモンを含まないガラス。
【請求項９】
前記ガラスのガラス転移温度Ｔｇが３３０℃以下であることを特徴とする、請求項８に記載のアンチモンを含まないガラス。
【請求項１０】
酸化物に基づいて、モル％単位で、以下：
Ｖ２Ｏ５      ４５〜５５、
Ｐ２Ｏ５      １２．５〜１５、
Ｆｅ２Ｏ３    １０〜１５、
Ｂ２Ｏ３      ０〜５、
ＺｎＯ      ０〜５、
ＴｉＯ２     ０〜５、
ＴｅＯ２     １０〜１５、
Ｂｉ２Ｏ３    ０〜１５
を含み、かつ
前記ガラスのガラス転移温度Ｔｇが３１０℃以下であることを特徴とする、請求項８または９に記載のガラス。
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
式１のトピロキソスタット、又はその任意の薬学的に許容される塩、水和物、溶媒和物及び多形の調製のための方法であって：
ａ）塩基の存在下において式３の化合物と式５の化合物を反応させて式６の化合物を形成する工程
2018507858.tif 000001
［上式中、Ｒ１及びＲ２は、各々独立して、水素又はカルバモイル基から選択され、但しＲ１とＲ２は同じでない］；
ｂ）式６の化合物を式７の化合物に変換する工程
2018507858.tif 000002
［上式中、Ｒ１及びＲ２は上記に定義される通りである］；
ｃ）式７の化合物を、式１のトピロキソスタット、又はその任意の薬学的に許容される塩、水和物、溶媒和物及び多形に変換する工程
2018507858.tif 000003
［上式中、Ｒ１及びＲ２は上記に定義される通りである］
を含む方法。
【請求項２】
式６の化合物の調製のための方法であって、Ｒ１及びＲ２は独立して水素又はカルバモイル基から選択され、但しＲ１とＲ２は同じでなく、式３の化合物と式５の化合物とを反応させることを含み、Ｒ１及びＲ２は上記のように定義される、方法。
【請求項３】
式７の化合物の調製のための方法であって、Ｒ１及びＲ２は請求項１に定義される通りであり、式６の化合物の式７の化合物への変換を含み、Ｒ１及びＲ２は請求項１に定義される通りである、方法。
【請求項４】
塩基の存在下において式３の化合物と式５の化合物を反応させて式６の化合物又はその任意の薬学的に許容される塩、水和物、溶媒和物又は多形を形成することをさらに含む、請求項３に記載の方法。
【請求項５】
工程ａ及びｂ又はａ’及びｂ’が、式６の化合物を単離せずに実施される、請求項１又は４に記載の方法。
【請求項６】
式１
2018507858.tif 000004
のトピロキソスタット又はその任意の薬学的に許容される塩、水和物、溶媒和物又は多形の調製のための方法であって：
ａ）塩基の存在下において式３の化合物と式５の化合物を反応させて式６の化合物を形成する工程
2018507858.tif 000005
［上式中、Ｒ１及びＲ２は請求項１のように定義される］；
ｂ）式６の化合物を、式１のトピロキソスタット、又はその任意の薬学的に許容される塩、水和物、溶媒和物又は多形に変換する工程
2018507858.tif 000006
［上式中、Ｒ１及びＲ２は上記のように定義される］
を含む方法。
【請求項７】
脱水剤の存在下における式７の化合物のトピロキソスタットへの変換を含む、トピロキソスタットの調製のための方法。
【請求項８】
式１の化合物が、工程ｃの反応から塩として単離され、その後式１の化合物の遊離塩基、薬学的に許容される塩、水和物、溶媒和物又は多形に変換される、請求項１、４、５、６又は７に記載の方法。
【請求項９】
Ｒ１がカルバモイル基であり、Ｒ２が水素であり、式３の化合物が式３ａの化合物であり、式５の化合物が式５ｂの化合物であり、式６の化合物が式６ｂの化合物である、請求項１から８のいずれか一項に記載の方法。
【請求項１０】
Ｒ１が水素であり、Ｒ２がカルバモイル基であり、式３の化合物が式３ｂの化合物であり、式５の化合物が式５ａの化合物であり、式６の化合物が式６ｃの化合物である、請求項１から８のいずれか一項に記載の方法。
【請求項１１】
式１の化合物の非薬学的に許容される塩を提供すること、及び前記塩の、式１の化合物又はその任意の薬学的に許容される塩、水和物、溶媒和物又は多形への変換を含む、式１の化合物の精製のための方法。
【請求項１２】
式１のトピロキソスタット又はその任意の薬学的に許容される塩、水和物、溶媒和物又は多形の生成のための、式６ｂの化合物の使用。
【請求項１３】
式１のトピロキソスタット又はその任意の薬学的に許容される塩、水和物、溶媒和物又は多形の生成のための、式６ｃの化合物の使用。
【請求項１４】
Ｒ１及びＲ２が独立して水素又はカルバモイル基から選択され、但しＲ１とＲ２は同じでない、式１のトピロキソスタット又はその任意の薬学的に許容される塩、水和物、溶媒和物又は多形の生成のための、式７の化合物の使用。
【請求項１５】
Ｒ１及びＲ２が請求項１のように定義される、式７の化合物。
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
対象における2型糖尿病(T2D)の治療のための血糖コントロールの改善、対象における肥満の治療、T2Dを有する対象における肥満の治療、T2Dを有する対象におけるグルコース不耐性の治療、又は、T2Dを有する対象におけるインスリン抵抗性の治療のための、医薬の製造における、膵内分泌前駆細胞集団の使用であって、
(a)膵内分泌前駆細胞集団を対象に移植する工程と、
(b)膵内分泌前駆細胞集団をインビボで成熟させて、膵内分泌細胞を含む集団を生成する工程と
を含む、使用。
【請求項２】
前記細胞が、T2Dを有する対象における血糖コントロールの改善において使用するためのものである、請求項１に記載の使用。
【請求項３】
前記細胞が、対象におけるT2Dの治療において使用するためのものである、請求項１に記載の使用。
【請求項４】
前記細胞が、対象における肥満の治療において使用するためのものである、請求項１に記載の使用。
【請求項５】
前記細胞が、T2Dを有する対象における肥満の治療において使用するためのものである、請求項１に記載の使用。
【請求項６】
前記細胞が、T2Dを有する対象におけるグルコース不耐性の治療において使用するためのものである、請求項１に記載の使用。
【請求項７】
前記細胞が、T2Dを有する対象におけるインスリン抵抗性の治療において使用するためのものである、請求項１に記載の使用。
【請求項８】
対象を1つ又は複数の小分子抗糖尿病薬で治療する工程を更に含む、請求項１から７のいずれか一項に記載の使用。
【請求項９】
1つ又は複数の小分子抗糖尿病薬が、以下の:
メグリチニド;スルホニル尿素;ジペプチジルペプチダーゼ4(DPP-4)阻害剤;ビグアナイド;チアゾリジンジオン;アルファ-グルコシダーゼ阻害剤;ナトリウム-グルコース共輸送体2(SGLT-2)阻害剤;胆汁酸封鎖剤;レパグリニド;ナテグリニド;グリピジド;グリメピリド;グリブリド;サキサグリプチン;シタグリプチン;リナグリプチン;メトホルミン;ロシグリタゾン;ピオグリタゾン;アカルボース;ミグリトール;カナグリフロジン;ダパグリフロジン;エンパグリフロジン;及びコレセベラム
から選択される、請求項８に記載の使用。
【請求項１０】
膵内分泌前駆細胞が、インビボで成熟して、少なくとも2%の膵内分泌細胞を含む集団を生成する、請求項４から７のいずれか一項、又は、請求項４から７のいずれか一項に従属する場合の請求項８もしくは９に記載の使用。
【請求項１１】
血糖コントロールが、H1Abcレベルにより測定される、請求項１から１０のいずれか一項に記載の使用。
【請求項１２】
膵内分泌前駆細胞集団を対象に移植し、膵内分泌前駆細胞集団をインビボで成熟させて、膵内分泌細胞を含む集団を生成することによって、対象において、2型糖尿病(T2D)、肥満、又は、T2Dを有する対象における、肥満、グルコース不耐性、もしくはインスリン抵抗性を治療するための、あるいは、2型糖尿病(T2D)を有する対象における血糖コントロールを改善するための、膵内分泌前駆細胞集団を含む組成物。
【請求項１３】
対象に治療的に有効量の1つ又は複数の小分子抗糖尿病薬をさらに投与するために用いられる、請求項１２に記載の組成物。
【請求項１４】
膵内分泌前駆細胞が、インビボで成熟して、少なくとも2%の膵内分泌細胞を含む集団を生成する、請求項１２又は１３に記載の組成物。
【請求項１５】
1つ又は複数の小分子抗糖尿病薬が、以下の:
メグリチニド;スルホニル尿素;ジペプチジルペプチダーゼ4(DPP-4)阻害剤;ビグアナイド;チアゾリジンジオン;アルファ-グルコシダーゼ阻害剤;ナトリウム-グルコース共輸送体2(SGLT-2)阻害剤;及び胆汁酸封鎖剤
から選択される、請求項１３又は１４に記載の組成物。
【請求項１６】
小分子抗糖尿病薬が、以下の:
レパグリニド;ナテグリニド;グリピジド;グリメピリド;グリブリド;サキサグリプチン;シタグリプチン;リナグリプチン;メトホルミン;ロシグリタゾン;ピオグリタゾン;アカルボース;ミグリトール;カナグリフロジン;ダパグリフロジン;エンパグリフロジン;及びコレセベラム
からなる群から選択される、請求項１３又は１４に記載の組成物。
【請求項１７】
抗糖尿病薬が、シタグリプチン、メトホルミン、及びロシグリタゾンからなる群から選択される、請求項１３又は１４に記載の組成物。
【請求項１８】
血糖コントロールが、H1Abcレベルにより測定される、請求項１２から１７のいずれか一項に記載の組成物。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
病原体に起因する感染を有する対象において、二次感染に関連する疾患を処置または予防するための、前記病原体に対する抗病原体剤と、膜型１マトリックスメタロプロテイナーゼ−１（ｍｅｍｂｒａｎｅ  ｔｙｐｅ  １−ｍａｔｒｉｘ  ｍｅｔａｌｌｏｐｒｏｔｅｉｎａｓｅ  １）（ＭＴ１−ＭＭＰ１）を特にダウンレギュレートする薬剤との使用。
【請求項２】
病原体に起因する感染を処置するための、前記病原体に対する抗病原体剤と、ＭＴ１−ＭＭＰ１を特にダウンレギュレートする薬剤との使用。
【請求項３】
前記二次感染が、血液感染である、請求項１に記載の使用。
【請求項４】
前記疾患が、敗血症である、請求項１の使用。
【請求項５】
前記感染が、呼吸器感染である、請求項１または２に記載の使用。
【請求項６】
前記病原体が、ウイルスである、請求項１または２に記載の使用。
【請求項７】
前記ウイルスが、呼吸器ウイルスである、請求項６に記載の使用。
【請求項８】
前記呼吸器ウイルスが、インフルエンザである、請求項７に記載の使用。
【請求項９】
前記抗病原体剤が、ノイラミニダーゼ阻害剤（ＮＡＩ）である、請求項６に記載の使用。
【請求項１０】
前記二次感染が、細菌感染である、請求項６〜９のいずれか１項に記載の使用。
【請求項１１】
前記細菌感染が、肺炎球菌（Ｓ．ｐｎｅｕｍｏｎｉａｅ）である、請求項１０に記載の使用。
【請求項１２】
前記ＭＴ１−ＭＭＰ１をダウンレギュレートする前記薬剤が、抗体である、請求項１〜１１のいずれか１項に記載の使用。
【請求項１３】
インフルエンザを処置するための、ＭＴ１−ＭＭＰ１を特にダウンレギュレートする薬剤の使用。
【請求項１４】
抗病原体剤と、ＭＴ１−ＭＭＰ１を特にダウンレギュレートする薬剤とを含む、製造品。
【請求項１５】
前記抗病原体剤が、抗ウイルス剤である、請求項１４に記載の製造品または医薬組成物。
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
活性成分として、バレントニン（VLT）と6-メトキシハルマラン（6-MH）の組み合わせを含有することを特徴とする、接着性経皮治療システム。
【請求項２】
パッチの適用期間中、少なくとも4に等しい[VLT] / [6-MH] の質量比で、バレントニン及び6-メトキシハルマランを血流に送達することができる、バレントニン（VLT）と、6-メトキシハルマラン（6-MH）との負荷の組合せを含むことを特徴とする請求項1に記載の接着性経皮治療システム。
【請求項３】
VLT及び6-MHの負荷を含む、睡眠障害及びうつ病の治療に使用するための接着性経皮治療システムであって、パッチの適用期間中、前記負荷が少なくとも20μgのVLTの用量及び少なくとも5μgの6-MHの用量を血流中に送達する、
請求項1または２に記載の接着性経皮治療システム。
【請求項４】
VLT及び6-MHの負荷を含む、一次不眠症及び/またはパーキンソン病型の状態の治療のための接着性経皮治療システムであって、パッチの適用期間中、前記負荷が少なくとも40μgのVLTの用量及び少なくとも10μg の6-MHの用量を血流中に送達する、
請求項1または２に記載の接着性経皮治療システム。
【請求項５】
VLT及び6-MHの負荷を含む、アルツハイマー病の予防及び治療の少なくとも一方における使用のための接着性経皮治療システムであって、パッチの適用期間中、前記負荷が少なくとも60μgのVLTの用量及び少なくとも15μgの6-MHの用量で血流中に送達する、
請求項1または２に記載の接着性経皮治療システム。
【請求項６】
前記パッチの適用期間は、8〜10時間である請求項2〜５のいずれか一項に記載の接着性経皮治療システム。
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
遊離アミノ酸β-アラニン又はその塩を含有する、長期間投与により心的外傷後ストレス障害に関連した1以上の生理的反応を改善するためのヒト用栄養補助食品（dietary supplement）。
【請求項２】
生理的反応が、衝撃的な出来事の不快でつらい記憶、衝撃的な出来事が再び起こっているかのような追体験（フラッシュバック）、衝撃的な出来事についての心乱される夢、衝撃的な出来事を思い出させるものに対する大きな精神的苦痛若しくは身体的反応、衝撃的な出来事について考えたり話したりすることを避けようとすること、衝撃的な出来事を思い出させる場所、活動若しくは人を避けること、自己若しくは他者に対する否定的な感情、肯定的な感情を持てないこと、感情が麻痺した感覚、かつては楽しめた活動に対する興味の喪失、未来に対する絶望、記憶障害、親密な関係の維持が困難であること、神経過敏、怒りの爆発若しくは攻撃的な挙動、常に危険に警戒していること、極度の罪悪感若しくは恥辱感、自己破壊的な行動、集中困難、睡眠障害、容易に驚いたりおびえたりすること、及びこれらの組み合わせ、からなる群より選択される、請求項１記載の栄養補助食品。
【請求項３】
ヒト用栄養補助食品を1日1回以上で複数日間投与する、請求項1記載の栄養補助食品。
【請求項４】
有効量が少なくとも約3.0gの遊離アミノ酸β-アラニン又はその塩である、請求項3記載の栄養補助食品。
【請求項５】
複数日間が少なくとも14日間である、請求項3記載の栄養補助食品。
【請求項６】
複数日間中に栄養補給をしない日を含み得る、請求項3記載の栄養補助食品。
【請求項７】
栄養補給をしない日が、連続して1日以下であり、かつ7日間のうちに2日間以下である、請求項6記載の栄養補助食品。
【請求項８】
ヒト用栄養補助食品がクレアチンの形態と共に提供される、請求項1記載の栄養補助食品。
【請求項９】
ヒト用栄養補助食品がインスリン刺激物質と共に提供される、請求項1記載の栄養補助食品。
【請求項１０】
ヒト用栄養補助食品が炭水化物と共に提供される、請求項1記載の栄養補助食品。
【請求項１１】
ヒト用栄養補助食品が1種以上のビタミンと共に提供される、請求項1記載の栄養補助食品。
【請求項１２】
ヒト用栄養補助食品が1種以上の他のタンパク質及びアミノ酸と共に提供される、請求項1記載の栄養補助食品。
【請求項１３】
投与が、使用者がPTSDに関連する症状を経験する前である、請求項1記載の栄養補助食品。
【請求項１４】
投与が、使用者がPTSDに関連する症状を経験している時期である、請求項1記載の栄養補助食品。
【請求項１５】
投与が、使用者がPTSDに関連する症状を経験した後である、請求項1記載の栄養補助食品。
【請求項１６】
投与が、使用者が心的外傷後ストレス障害と診断される前である、請求項1記載の栄養補助食品。
【請求項１７】
投与が、使用者が心的外傷後ストレス障害と診断されている時期である、請求項1記載の栄養補助食品。
【請求項１８】
投与が、使用者が心的外傷後ストレス障害と診断された後である、請求項1記載の栄養補助食品。
【請求項１９】
心的外傷後ストレス障害に関連した生理的反応の改善が達成された場合に投与するための、維持段階（maintenance phase）を可能とするように調整された有効量の遊離アミノ酸β-アラニン又はその塩を含有する、請求項1記載の栄養補助食品。